(57)【特許請求の範囲】
【請求項１】
多価イオンを発生させる多価イオン源と、その多価イオン源から導出された多価イオン
ビームを試料に向けて誘導するビームガイドと、試料を保持する試料保持部とを少なくと
も備える多価イオンビーム照射装置において、
試料に対向するビームガイド端部と試料保持部とを、支持すると共に３次元ＸＹＺ方向の並進移動及びＺ方向での回転をさせて位置調整する基盤ステージと、その基盤ステージにＺ方向の並進移動及び回転の駆動力を独立に伝達するＺ並進回転導入機構と、ＸＹ方向の並進移動の駆動力を独立に伝達するＸＹ並進導入機構と、
試料保持部に対してビームガイド端部を相対的に、２次元ＸＹ方向に並進移動させて位置調整するＸＹステージと、そのＸＹステージにＺ方向での回転の駆動力を独立に伝達するＺ回転導入機構と、
試料保持部を独立にＺ方向へ並進移動させて位置調整するＺ並進移動機構と、Ｚ方向での回転の駆動力を独立に伝達するＺ回転導入機構とを有する照射位置制御部、を設けた
ことを特徴とする多価イオンビーム照射装置。
【請求項２】
ＸＹステージに、約100nmのステップで並進移動させる駆動手段を設けた
請求項１に記載の多価イオンビーム照射装置。
【請求項３】
ビームガイド端部に、10〜100nmの径の孔部を有するマスクを設けた
請求項１または２に記載の多価イオンビーム照射装置。
【請求項４】
マスクに、約100nmの径の孔部を、約300nmの間隔で格子状に設けた
請求項３に記載の多価イオンビーム照射装置。
【請求項５】
孔部と試料との距離が1μm以下に調整可能である
請求項３または４に記載の多価イオンビーム照射装置。
【請求項６】
多価イオン源に、
エミッション電流約100mA以上の電子ビームを電子銃より発生させ、約10keV以上の高エネルギーに加速し、約10−８Pa以下の超高真空を維持した状態で、強磁場中に誘導して電子ビームを絞り、原子・イオンとの衝突による電離を繰り返すことにより多価イオンを生成するＥＢＩＳ型多価イオン源を設ける
請求項１ないし５のいずれか一項に記載の多価イオンビーム照射装置。
【請求項７】
多価イオンを発生させる多価イオン源と、その多価イオン源から導出された多価イオンビームを試料に向けて誘導するビームガイドと、試料を保持する試料保持部とを少なくとも備える多価イオンビーム照射装置において、
試料に対向するビームガイド端部と試料保持部とを、支持すると共に３次元ＸＹＺ方向の並進移動及びＺ方向での回転をさせて位置調整する基盤ステージによって、ビームガイド端部と試料保持部を並進移動及びＺ方向での回転をさせると共に、
試料保持部に対してビームガイド端部を相対的に、２次元ＸＹ方向に並進移動させて位置調整するＸＹステージによって、試料保持部とビームガイド端部との相対位置を２次元で並進移動させ、また、
試料保持部を独立にＺ方向へ並進移動させて位置調整するＺ並進移動機構と、Ｚ方向での回転の駆動力を独立に伝達するＺ回転導入機構とによって、試料保持部をＸＹステージの移動方向と略垂直なＺ方向へ並進移動及びＺ方向での回転をさせて、
照射位置を調整した後に、試料への照射を行なう
ことを特徴とする多価イオンビーム照射ンビーム照射方法。
【請求項８】
多価イオン源に、ＥＢＩＳ型多価イオン源を設け、
その運転前に、イオン源全体を約200℃以上に数日間ベーキングし、ドリフトチューブに磁場及び電場を印加した状態で、ペニング放電による放電洗浄を数日間施す脱ガス処理によって、運転中の超高真空状態を維持する
請求項７に記載の多価イオンビーム照射方法。
【請求項９】
排気系に、排気速度約300リットル/sのターボ分子ポンプとチタンゲッターポンプを用いる
請求項７または８に記載の多価イオンビーム照射方法。
【請求項１０】
ドリフトチューブを約25K以下まで冷却して、ドリフトチューブ内の残留ガスを脱ガスする
請求項７ないし９のいずれか一項に記載の多価イオンビーム照射方法。
【請求項１１】
エミッション電流約100mA以上の電子ビームを発生させた状態で、約10−８Pa以下の超高真空を維持することによって、多価イオンを生成する
請求項７ないし１０のいずれか一項に記載の多価イオンビーム照射方法。
【請求項１２】
多価イオン源からビームガイドにおける電子ビームの行路の磁場を、
電子銃のカソード付近で磁場0にし、その後、略2次関数的に強度を増大させ、コレクターの電子回収領域で磁場0にする
請求項７ないし１１のいずれか一項に記載の多価イオンビーム照射方法。
【請求項１３】
多価イオン源からビームガイドにおける電子ビームの行路の位置調整を、
電子銃、ドリフトチューブ、コレクターの各電極の中心軸と、超伝導磁石の磁場軸とを、略一致させる
請求項７ないし１２のいずれか一項に記載の多価イオンビーム照射方法。
【請求項１４】
コレクター側に覗き窓を設置し、予めドリフトチューブの軸に合わせておいたトランシットで観測しながら、電子銃とコレクターの位置調整を行って、各電極の中心軸を一致させる
請求項１３に記載の多価イオンビーム照射方法。
【請求項１５】
超伝導磁石の容器のボアと、それに挿入されているドリフトチューブの配管との隙間を均一にすることで、各電極軸と磁場軸とを一致させる
請求項１３に記載の多価イオンビーム照射方法。
【請求項１６】
ドリフトチューブの電位を1.5〜3kVとして、多価イオン源から低エネルギーで引き出して、試料に照射する
請求項７ないし１５のいずれか一項に記載の多価イオンビーム照射方法。
【請求項１７】
多価イオンの価数を増減させることで、剥離する試料の体積を増減させる
請求項７ないし１６のいずれか一項に記載の多価イオンビーム照射方法。
【発明の詳細な説明】
【技術分野】
【０００１】
本発明は、高出力の多価イオンビームを効率よく精確に照射して、ナノメートルサイズの加工技術などに寄与する多価イオンビーム照射方法と、その方法を実施する装置に関する。
【背景技術】
【０００２】
多価イオンは、束縛電子を少数しかもたない正のイオンであり、剥ぎ取られた電子の各電離エネルギーの総和に相当する大きなポテンシャルエネルギーを有している。
【０００３】
多価イオンが固体表面に入射すると、そのポテンシャルエネルギーが解放される結果として、次のような特徴的な現象が生じる。
１）入射点近傍にナノメートルサイズの構造変化が起きる（非特許文献１〜２）。
【非特許文献１】T. Meguro et al.：Appl. Phys. Lett.79 (2001) 3866-3868.
【非特許文献２】Y. Baba, K. Nagata, S. Takahashi, N. Nakamura, N. Yoshiyasu,M. Sakurai, C.Yamada, S. Ohtaniand M. Tona： Surface Sci. 599(2005)248-254.
【０００４】
２）1 個の多価イオンに対し数十から数百の2 次電子が放出される（非特許文献３）。
【非特許文献３】J.W. McDonald, D. Schneider, M.W.Clark and D.DeWitt： Phys. Rev. Lett. 68(1992)2297.
【０００５】
３)多価イオンのポテンシャルエネルギーに起因した電子的遷移に誘起されたスパッタリング現象が起きる（非特許文献４〜５）。
【非特許文献４】M. Tona, S. Takahashi, K. Nagata, N. Yoshiyasu, C. Yamada, N. Nakamura, S.Ohtaniand M. Sakurai： Appl. Phys. Lett.87 (2005) 224102.
【非特許文献５】M. Tona, H. Watanabe, S. Takahashi, N. Nakamura,N. Yoshiyasu, M. Sakurai,T. Terui, S. Mashiko, C. Yamada, and S. Ohtani： Surface Sci. (accepted)
【０００６】
多価イオンのこのような性質は、単一イオンインプランテーションや量子ドット作製などのナノメートルサイズの加工技術や、デバイス技術や分析技術などに応用できる可能性がある。しかし、従来の多価イオン源では十分なビーム強度が得られていない。
【０００７】
従来の多価イオン源としては、電子サイクロトロン共鳴型イオン源（ＥＣＲＩＳ）と、電子ビーム型イオン源（Electron Beam Ion Source：ＥＢＩＳ）とが知られている。ＥＢＩＳは得られるイオンの電離度が高いという特徴がある。
ＥＢＩＳは、カソード、ドリフトチューブ、コレクター、ソレノイド磁石、イオン引き出し用レンズなどから構成されている。カソードから出射した電子は、磁場中に配置されたドリフトチューブを通り、コレクターに回収される。電子は、ドリフトチューブに形成される強磁場で圧縮され大電流密度の電子ビームとなる。一方、カソード付近から導入された気体は、イオンに対して障壁となるドリフトチューブ内に形成される井戸型ポテンシャルによって、電子による衝突電離が進み多価イオンとなる。
従来のＥＢＩＳによる典型的なビーム強度は、１０５〜１０６/mm２/s であり、この場合、１００ナノメートル四方に入射するイオンは１００秒間に１個以下に過ぎない。
【０００８】
また、多価イオンをナノメートルサイズの加工技術や、デバイス技術や分析技術などに用いるには、多価イオンビームを制御し、効率よく、かつ精確に照射することが必要となる。
それらに関する従来技術には、次のようなものがある（非特許文献６、特許文献１〜４）。
【非特許文献６】A. Persaud, F. I. Allen, F. Gicquel,S.J.Park, J. A. Liddle, T. Schenkel Tzv. Ivanov,K. Ivanova, I. W.Rangelow,J. Bokor： “Single ion implantation with scanningprobe alignment”, J. Vac. Sci. Technol. B, Vol.22, No. 6, 2004.
【特許文献１】特開２００６−３０２７８５「多価イオン照射装置及びそれを用いた微細構造の製造方法」
【特許文献２】特開２００６−１０８０５４「多価イオン発生源およびこの発生源を用いた荷電粒子ビーム装置」
【特許文献３】特開平６−３２６０６０「固体表面加工方法」
【特許文献４】特開平６−３６７３５「多価イオン注入法による基板製造装置および基板製造方法」
【０００９】
例えば非特許文献６は、穴あきカンチレバーを使ってＡＭＦで試料形状を見ながら照射する技術を開示しているが、従来技術に多価イオンの照射プロセスを考慮した装置は無く、多価イオン照射は、照射に適した多価イオンの生成、多価イオンビームの制御、照射位置制御など各工程において効率が良くないものであった。特に、照射位置制御は全く行われていないに等しかった。
【発明の開示】
【発明が解決しようとする課題】
【００１０】
そこで、本発明は、十分なビーム強度が得られる多価イオン源を提供すると共に、その多価イオンビームを制御し、照射位置を制御して、効率よく精確に照射することができる多価イオンビーム照射方法及び装置を提供することを課題とする。
【課題を解決するための手段】
【００１１】
上記課題を解決するために、本発明の多価イオンビーム照射装置は、次の構成を備える。すなわち、多価イオンを発生させる多価イオン源と、その多価イオン源から導出された多価イオンビームを試料に向けて誘導するビームガイドと、試料を保持する試料保持部とを少なくとも備える多価イオンビーム照射装置において、試料に対向するビームガイド端部と試料保持部とを、支持すると共に並進移動させて位置調整する基盤ステージと、試料保持部に対してビームガイド端部を相対的に、２次元で並進移動させて位置調整するＸＹステージと、試料保持部のみを独立に、ＸＹステージの移動方向と略垂直なＺ方向へ並進移動させて位置調整するＺ並進移動機構とを有する照射位置制御部、を設けたことを特徴とする。
【００１２】
ここで、基盤ステージに、ある軸を中心に回動させて位置調整する回転機構を少なくとも一つ設けると、照射位置制御が一層効率よくなる。
【００１３】
ＸＹステージに、約100nmのステップで並進移動させる駆動手段を設けて、位置調整の利便に寄与させてもよい。
【００１４】
ＸＹステージの支軸に、基盤ステージにＺ方向の並進移動及び回転の駆動力を伝達するＺ並進回転導入機構を接続して、装置を構成してもよい。
【００１５】
ＸＹステージの支軸に、基盤ステージにＸＹ方向の並進移動の駆動力を伝達するＸＹ並進導入機構を接続して、装置を構成してもよい。
【００１６】
ＸＹステージの支軸に、試料保持部にＺ方向の回転の駆動力を伝達するＺ回転導入機構を接続して、装置を構成してもよい。
【００１７】
ビームガイド端部に、10〜100nmの径の孔部を有するマスクを設けて、試料へ照射する多価イオンビームを絞ってもよい。
【００１８】
マスクとしては、約100nmの径の孔部を約300nmの間隔で格子状に設けたものが利用可能である。
【００１９】
孔部と試料との距離が1μm以下に調整可能にして、多価イオンビームの角度広がりを抑止してもよい。
【００２０】
多価イオン源としては、エミッション電流約100mA以上の電子ビームを電子銃より発生させ、約10keV以上の高エネルギーに加速し、約10−８Pa以下の超高真空を維持した状態で、強磁場中に誘導して電子ビームを絞り、原子・イオンとの衝突による電離を繰り返すことにより多価イオンを生成するＥＢＩＳ型多価イオン源が利用可能である。
【００２１】
本発明の多価イオンビーム照射方法は、多価イオンを発生させる多価イオン源と、その多価イオン源から導出された多価イオンビームを試料に向けて誘導するビームガイドと、試料を保持する試料保持部とを少なくとも備える多価イオンビーム照射装置において、試料に対向するビームガイド端部と試料保持部とを、支持すると共に並進移動させて位置調整する基盤ステージによって、ビームガイド端部と試料保持部を並進移動させると共に、試料保持部に対してビームガイド端部を相対的に、２次元で並進移動させて位置調整するＸＹステージによって、試料保持部とビームガイド端部との相対位置を２次元で並進移動させ、更に、試料保持部のみを独立に、ＸＹステージの移動方向と略垂直なＺ方向へ並進移動させて位置調整するＺ並進移動機構によって、試料保持部をＸＹステージの移動方向と略垂直なＺ方向へ並進移動させて、照射位置を調整した後に、試料への照射を行なうことを特徴とする。
【００２２】
ここで、基盤ステージに、ある軸を中心に回動させて位置調整する回転機構を少なくとも一つ設け、その回転機構によって基盤ステージを回転させて、照射位置を効率的に調整できるようにしてもよい。
【００２３】
多価イオン源として、ＥＢＩＳ型多価イオン源を用い、その運転前に、イオン源全体を約200℃以上に数日間ベーキングし、ドリフトチューブに磁場及び電場を印加した状態で、ペニング放電による放電洗浄を数日間施す脱ガス処理によって、運転中の超高真空状態を維持できるようにしてもよい。
【００２４】
排気系には、排気速度約300リットル/sのターボ分子ポンプとチタンゲッターポンプが利用可能である。
【００２５】
ドリフトチューブを約25K以下まで冷却して、ドリフトチューブ内の残留ガスを脱ガスして、高価数の多価イオンの生成に寄与させてもよい。
【００２６】
エミッション電流約100mA以上の電子ビームを発生させた状態で、約10−８Pa以下の超高真空を維持することによって、高価数の多価イオンを生成に寄与させてもよい。
【００２７】
多価イオン源からビームガイドにおける電子ビームの行路の磁場を、電子銃のカソード付近で磁場0にし、その後、略2次関数的に強度を増大させ、コレクターの電子回収領域で磁場0にして、安定した電子ビームの発生に寄与させてもよい。
【００２８】
多価イオン源からビームガイドにおける電子ビームの行路の位置調整を、
電子銃、ドリフトチューブ、コレクターの各電極の中心軸と、超伝導磁石の磁場軸とを略一致させて、安定した電子ビームの発生に寄与させてもよい。
【００２９】
各電極の中心軸を一致させるには、コレクター側に覗き窓を設置し、予めドリフトチューブの軸に合わせておいたトランシットで観測しながら、電子銃とコレクターの位置調整を行ってもよい。
【００３０】
各電極軸と磁場軸とを一致させるには、超伝導磁石の容器のボアと、それに挿入されているドリフトチューブの配管との隙間を均一にすることで行ってもよい。
【００３１】
ドリフトチューブの電位を1.5〜3kVとして、多価イオン源から低エネルギーで引き出して、試料に照射することで、多価イオンのポテンシャルエネルギーをナノプロセスに有効に作用させてもよい。
【００３２】
多価イオンの価数を増減させることで、試料への照射作用を増減させて、ナノプロセスへの適度な作用に寄与させてもよい。
【発明の効果】
【００３３】
本発明によると、７軸以上の自由度をもつ照射位置制御装置によって、多価イオンビームを効率よく精確に照射することができる。多価イオンの照射領域と非照射領域をナノメートルレベルで区分することが可能となり、また、試料内での照射位置も、ナノメートルレベルで選定制御可能になった。
また、十分なビーム強度が得られる多価イオン源が得られ、高価数の多価イオンビームを、有効に試料に照射することも可能になった。
【発明を実施するための最良の形態】
【００３４】
以下に、図面を基に本発明の実施形態を説明する。本発明の構成は、以下の実施例に限らず、本発明の趣旨から逸脱しない範囲で、従来公知技術を利用して適宜設計変更可能である。
本発明者らは、ビーム強度が高いことに加えて、運転及び保守が容易であり、製作コストも安価な汎用ＥＢＩＳ型多価イオン源を開発している（非特許文献７〜９）。
【非特許文献７】M. Sakurai, F. Nakajima, T. Fukumoto, N.Nakamura, S. Ohtani and S.Mashiko：J. Phys. Conf. Ser. 2 (2004)52-56.
【非特許文献８】M. Sakurai, F. Nakajima, T. Fukumoto, N.Nakamura, S. Ohtani , S. Mashiko, H. Sakaue：Nucl. Instr. Meth.B235 (2005) 519-523.
【非特許文献９】櫻井 誠,中嶌史晴,福本卓典,中村信行,大谷俊介,益子信郎：真空48(2005) 317-320.
【００３５】
本発明では、それより更にビーム強度が２桁程度高い大強度多価イオン源を開発し、ナノメートルレベルで照射位置制御をする機構の開発を行い、ナノプロセスに適用した。
【００３６】
図１は、ＥＢＩＳ型多価イオン源におけるコレクター近傍の要部を示す説明図である。
ＥＢＩＳ型多価イオン源は、カソード、ドリフトチューブ、コレクター（１１）、ソレノイド磁石、イオン引き出し用レンズなどから構成される。カソードから出射した電子は、磁場中に配置されたドリフトチューブを通り、コレクター（１１）に吸収される。カソード付近から導入された気体が、ドリフトチューブ内で圧縮された大電流密度の電子ビームと衝突し、電離が進むことで多価イオンとなる。
【００３７】
高価数の多価イオンを生成するためには、大きなエミッション電流（100mA以上）の電子ビームを発生させた状態で、超高真空（10−８Pa以下）を維持する必要がある。イオン源の運転中は、この電子ビームを回収するコレクター（１１）からの電子励起脱離による脱ガスに加え、強電界・強磁場中にある電極のペニング放電による脱ガス、カソードヒーターの熱による電子銃部の加熱脱ガスなど、多くの真空度を悪化させる要因があり超高真空を維持するのは容易ではない。
【００３８】
本装置では運転前に、イオン源全体を200〜250℃で5日間程度ベーキングした後、ドリフトチューブに磁場2T、電圧5kVを印加した状態にし、ペニング放電による放電洗浄を1〜2日行う脱ガス処理によって、運転中も10−８Pa 以下の超高真空を維持している。なお、排気系に関しては、排気速度300 リットル/s のターボ分子ポンプとチタンゲッターポンプを用いる。
【００３９】
ＥＢＩＳ型多価イオン源では、エミッション電流100mA 以上の電子ビームを電子銃より発生させ、高エネルギー（10keV以上）に加速しつつ、強磁場中に導き電子ビームを絞り、原子・イオンとの衝突による電離を繰り返すことにより多価イオンを生成する。
電子ビームの殆どは衝突せずに多価イオン生成領域を通過し、コレクター（１１）に回収される。カソードから出射した電子の全てが、コレクター（１１）に回収される必要があるが、電磁場の分布が悪いと電子が理想的な軌道をとらないためコレクター領域から電子銃側に逆戻りし、電子銃の各電極に衝突する。これによる加熱効果等で、安定に電子ビームを発生させることができなくなることがある。
【００４０】
電子が理想的な軌道をとるための条件は、カソード付近で磁場を0 にし、その後急激に（2次関数的に）磁場を立ち上げ、コレクター（１１）の電子回収領域でも磁場を0 にすることである。
この条件を実現するために、次の改良を施した。すなわち、1)電子銃を従来より約90mm超伝導磁石から遠ざけ、2)磁場の立ち上がりを十分急峻にするために電子銃磁気シールドの磁性体の口径を約6mmに絞り、3)コレクター（１１）の磁気シールド（１２）の厚さを増加させ、4)その磁気シールド（１３）の内部に電磁石としてコレクターコイルを設け、5)電子のコレクター（１１）から電子銃側への戻りを抑えるためのサプレッサー電極（１４）を2個に増設し、6)サプレッサーとエキストラクター（１５）の口径を絞った。
【００４１】
この改良によって、電子ビームのエミッション電流が180mAに達した。
コレクター（１１）の磁気シールド（１２）を厚くしたことにより、コレクター部の重量が増し、また超伝導磁石の励磁中に磁気シールド（１２）が磁石に引き寄せられる力も増すので、コレクター（１１）を支持するセラミック棒（１６）太くして強化した。
【００４２】
電子が理想的な軌道を取るためのもう一つの条件は、電子銃、ドリフトチューブ、コレクター（１１）の各電極の中心軸と超伝導磁石の磁場軸を、一定の誤差内で一致させることである。
この条件を実現するために、各電極の中心軸は、コレクター（１１）側に覗き窓を設置し、予めドリフトチューブの軸に合わせておいたトランシットで観測しながら、電子銃とコレクターの位置調整をすることにより誤差0.1mm以内に収めた。
この電極軸と磁場軸との位置関係は、超伝導磁石容器のボアと、それに挿入されているドリフトチューブ配管との隙間を均一にするという方法で調整した。
最終的には、実際に電子ビームとイオンビームを発生させ、電子ビームの回収率が高く、イオンの価数と強度が高くなる最も優れた性能を示すように微調整した。
【００４３】
図２は、ＥＢＩＳ型多価イオン源におけるビームライン近傍の要部を示す説明図である。
イオン源の下流側に、電子レンズ（２１）や分析磁石（２２）、各種検出器などを設けた配管（ビームライン）を接続し、前述のイオン源立ち上げの各段階で、イオン源から直流的に流出する多価イオンの質量スペクトルを測定した。ビーム強度の測定には、分析磁石（２２）の出口スリット（２３）直後に設けたファラデーカップ（２４）を用いた。
その結果、イオンビーム強度や価数分布が、磁場軸と電極軸のわずかなずれによって著しく変化することや、全圧約５×10−８Paの残留ガスによっても高価数イオンの生成が阻害されることがわかった。ただし、この圧力はコレクター部に取り付けた真空計による測定値であり、ドリフトチューブ内部の圧力はこの値よりも高いと考えられる。
【００４４】
電子ビーム電流150mA、電子ビームエネルギー20keV、超伝導磁石によるドリフトチューブ中心の磁束密度3T において、磁場軸と電極軸がほぼそろっている条件で、アルゴンガスを5×10−８Pa導入して得られた多価イオンの強度は、Ar９＋が10nA、Ar１２＋が２nA程度(個数にして１０９〜１０１０個/ｓ)であった。
【００４５】
高価数イオン生成の障害となるのはドリフトチューブ内の残留ガスであり、この圧力を下げるために最も有効な方法はドリフトチューブを冷却することであると考えられる。電子ビーム発生時の脱ガスはCO、CO２が多いため、COが凝縮する２５K以下の領域まで冷却すれば大きな効果が期待できる。
【００４６】
電子ビームエネルギーは、電子銃のカソードとドリフトチューブ間の電位差で決まるが、引き出されるイオンのエネルギーはドリフトチューブの電位に比例する。
多価イオンのポテンシャルエネルギーの効果をナノプロセスに応用するためには、試料に照射する際のイオンの運動エネルギーは低い方が望ましく、また、イオン源から高速で引き出されたイオンを減速して照射すると、ビームを発散させる結果となり高密度で照射することができなくなってしまう。
従って、イオン源からなるべく低エネルギーで引き出すことが望ましい。本装置では、ドリフトチューブ電位が1.5〜3kVの範囲おいて同程度のイオン電流が得られることがわかった。
【００４７】
イオン源から引き出した多価イオンビームは、孔を有するマスクを介して絞られた後、試料に照射される。
図３は、マスクの正面図と、その一部を拡大した側面断面図である。
略円盤形のマスク（３１）には、数十nmから100nmの径の孔部（３２）が周期的に配列される。例えば、径100nmの円形の孔を正方格子状に300nm間隔で配列させたものが利用できる。
マスク（３１）は、その孔部（３２）に多価イオンビームを通過させられればよく、用途に応じてその形状や孔部（３２）の形状や配列を適宜変えられるように着脱自在に構成することが好ましい。
【００４８】
図４は、マスクと試料の距離によるビームの広がりを示す説明図である。
マスク（３１）によって多価イオンビームは、孔部（３２）の径程度のナノビームに絞られるが、マスク（３１）と試料（１００）の間隔Ｄが離れていると、ビームの発散の影響で試料（１００）上のビームサイズが広がってしまう。
角度広がりθの多価イオンビームが、径ｄの孔部（３２）を通過して、試料（１００）に達するまでに距離Ｄを要するとすると、試料（１００）に達したときの角度広がりはＤθとなる。この角度広がりＤθを孔部（３２）の径ｄより小さくするためには、θ＝0.01rad、ｄ＝10nmとすると、Ｄ＜1μmであることが必要になる。
【００４９】
すなわち、多価イオンビームの角度広がりを抑止するためには、マスク（３１）を試料（１００）から1μm以内に近づける位置調整機構が必要である。
また、マスク（３１）と試料（１００）は、多価イオンビームに対してそれぞれ位置合わせの機構が必要であり、更に、試料（１００）はその表面の清浄化処理やLEED、STM観察などのために移送可能である必要もある。
これらの要請を満たすマスク（３１）と試料（１００）の位置調整機構を製作した。
【００５０】
図５及び６は、マスクホルダー（３３）に設置されたマスクの正面図及び一部側面断面図である。図７及び８は、マスクホルダー（３３）近傍の位置調整機構を示す要部側面断面図及び一部正面図であり、図９及び１０は、照射位置制御装置の要部を示す説明図及び斜視図である。
なお、図９では、マスク（３１）を試料（１００）から数nm程度の近傍で、ピエゾモーターにより並進移動されるＸＹステージ（３４）は図示されず、図１０では、マスク（３１）は図示されていない。
【００５１】
図９に示したように、ＸＹステージ（３４）の支軸（３６）は、並進用ベアリング（４１）（４２）及び平歯車列（４３）等を介して並進回転導入機構（５１）に接続されている。この並進回転導入機構（５１）によって、マスク（３１）と試料（１００）に、Ｚ方向への並進移動と回転が導入される。
また、ＸＹステージ（３４）の支軸（３６）は、並進用ベアリング（４１）及びラック-ピニオン（４４）、スプロケット-チェーン（４５）等を介して、並進導入機構（５２）及び回転導入機構（５３）に接続されている。その並進導入機構（５２）によっては、マスク（３１）と試料（１００）に、ＸＹ方向への並進移動が導入され、回転導入機構（５３）によっては、試料（１００）に、Ｚ方向への回転が導入される。
【００５２】
このように、照射位置制御装置は、マスク（３１）と試料（１００）の基盤でＸＹＺ方向の並進移動と垂直軸回りの回転自由度をもつステージ上に、試料（１００）のみのZ移動機構と試料（１００）に対してマスク（３１）を100nmのステップで駆動できるXYステージ（３４）を組み込んだもので構成される。
この７軸の自由度をもつ照射位置制御装置はICF356規格のフランジにマウントされ、駆動のための並進移動及び回転導入機構（５１）（５２）（５３）も同一のフランジに取り付けられる。
【００５３】
従来技術にも、並進移動導入機構によるＸＹＺ方向の並進移動等があったが、本装置は、それを単に組み合わせただけでなく、更に、回転導入機構や、試料（１００）のみの並進移動導入機構を他の自由度が損なわれないように付設することで、マスク（３１）の位置を試料（１００）近傍で微調整できるようにした。
これにより、多価イオンの照射領域及び非照射領域をナノメートルレベルで区分することが可能となり、また試料（１００）内での照射位置もナノメートルレベルで選定制御可能になった。
【００５４】
上述の実施例の照射位置制御装置は７軸の自由度をもつが、マスク（３１）及び試料（１００）の駆動制御に７〜８軸、マスク（３１）と試料（１００）の相対位置の制御に２〜３軸を設けることが望ましい。
なお、並進移動及び回転を導入する駆動制御は、ピエゾモーターやステッピングモーターなどを用いた従来公知の技術を適宜援用できる。その駆動力の伝達手段も、ラック-ピニオンやスプロケット-チェーンなど従来公知の技術を適宜援用できる。
【実施例１】
【００５５】
多価イオン（Iｑ＋）を3xq keVに加速した電子ビームを用い、試料に照射し、2x10−８Pa に減圧したチャンバーでSTM観察した。
マスクには、SiO２の薄膜に100nmの孔を多数配列させたものを用いた。
【００５６】
図１１及び１２は、I50＋の多価イオンビームを、Si(1 1 1)-(7x7)の表面に照射した結果を示したSTM画像及び深度プロファイルである。
図１１で黒く表示されているクレーター部分は、試料の上層の剥離を示し、その面積は5.5nm２であり、深度は0.35nmに達した。
多価イオンビームの価数を30〜50の範囲で変化させて、同様の実験を行った。その結果、価数の増加に伴って、クレーター部分の体積が急増することが判明した。
【００５７】
図１３及び１４は、I30＋の多価イオンビームを、HOPG（highly oriented pyrolyticgraphite）の表面に照射した結果を示したSTM画像、及び、照射後にBis-MSBで被覆した結果を示したSTM画像である。
図１３に示されるように、照射によって、HOPGの表層に不規則に分散した数nmのドットが生じた。
図１４に示されるように、Bis-MSBの被覆によって、そのドットは10nm程度まで大きくなった。これは、ドットにBis-MSBが集積したからであり、多価イオンビームの照射がナノスポットの活性化をもたらしたことを意味する。
【産業上の利用可能性】
【００５８】
本発明によると、高価数の多価イオンビームの照射位置を、ナノメートルレベルで制御できる。そのため、固体表面に照射してナノドットなどの構造変態を誘起することをはじめとして、さまざまなナノデバイス作製技術として応用可能であり、産業上利用価値が高い。
【図面の簡単な説明】
【００５９】
【図１】ＥＢＩＳ型多価イオン源におけるコレクター近傍の要部を示す説明図
【図２】ＥＢＩＳ型多価イオン源におけるビームライン近傍の要部を示す説明図
【図３】マスクの正面図と、その一部を拡大した側面断面図
【図４】マスクと試料の距離によるビームの広がりを示す説明図
【図５】マスクホルダーに設置されたマスクの正面図
【図６】マスクホルダーに設置されたマスクの一部側面断面図
【図７】マスクホルダー近傍の位置調整機構を示す要部側面断面図
【図８】マスクホルダー近傍の位置調整機構を示す一部正面図
【図９】照射位置制御装置の要部を示す説明図
【図１０】照射位置制御装置の要部を示す斜視図（写真）
【図１１】I50＋の多価イオンビームを、Si(1 1 1)-(7x7)の表面に照射した結果を示したSTM画像
【図１２】同、深度プロファイル
【図１３】I30＋の多価イオンビームを、HOPGの表面に照射した結果を示したSTM画像
【図１４】I30＋の多価イオンビームをHOPGの表面に照射した後に、Bis-MSBで被覆した結果を示したSTM画像
【符号の説明】
【００６０】
１１  コレクター
１２  磁気シールド
１３  コレクターコイル
１４  サプレッサー電極
１５  エキストラクター
１６  セラミック支持棒
２１  電子レンズ
２２  分析磁石
２３  出口スリット
２４  ファラデーカップ
２５  入口スリット
２６  ファラデーカップ
２７  ゲートバルブ
２８  ２次電子検出部
３１  マスク
３２  孔部
３３  マスクホルダー
３４  ＸＹステージ
３５  レンズ電極
３６  支軸
４１、４２  並進用ベアリング
４３  平歯車列
４４  ラック-ピニオン
４５  スプロケット-チェーン
５１  並進回転導入機構
５２  並進導入機構
５３  回転導入機構
１００  試料
１０１  試料ホルダー
【図１】
0005135503.tif 000002
【図２】
0005135503.tif 000003
【図３】
0005135503.tif 000004
【図４】
0005135503.tif 000005
【図５】
0005135503.tif 000006
【図６】
0005135503.tif 000007
【図７】
0005135503.tif 000008
【図８】
0005135503.tif 000009
【図９】
0005135503.tif 000010
【図１０】
0005135503.tif 000011
【図１１】
0005135503.tif 000012
【図１２】
0005135503.tif 000013
【図１３】
0005135503.tif 000014
【図１４】
0005135503.tif 000015